【手続補正書】
【提出日】平成19年7月19日(2007.7.19)
【手続補正１】
【補正対象書類名】明細書
【補正対象項目名】特許請求の範囲
【補正方法】変更
【補正の内容】
【特許請求の範囲】
【請求項１】  外科的及び／又は治療的使用のための、生体再吸収性で非毒性である生体適合性流体接着性タンパク質フォームであって、生体適合性非毒性ガス又はガスの混合物を含む、生体適合性で非毒性である生体適合性流体接着性タンパク質マトリックスを含むことを特徴とするフォーム。
【請求項２】  組織創傷を保護／瘢痕形成するため及び生体組織を互いに又は移植した生物材料に結合させるための、請求項１に記載のフォーム。
【請求項３】  前記接着性マトリックスが、非毒性、生体適合性及び生分解性でありそして接着特性を有する少くとも部分的に重合／架橋されたタンパク質化合物からなり又はそれを含み、ここで前記タンパク質化合物は任意に化学的に修飾されていることを特徴とする請求項１又は２に記載の接着性フォーム。
【請求項４】  前記タンパク質が、コラーゲン、ゼラチン、アルブミン、エラスチン及びフィブリーゲンから選択されるタンパク質又はタンパク質の混合物からなり、又はそれを含むことを特徴とする請求項１〜３のいずれか一項に記載の接着性フォーム。
【請求項５】  前記タンパク質が、コラーゲン及びアルブミンから選択されるタンパク質又はタンパク質の混合物からなり、又はそれを含むことを特徴とする請求項４に記載の接着性フォーム。
【請求項６】  前記化合物がコラーゲンからなり、又はそれを含むことを特徴とする請求項１〜５のいずれか一に記載の接着性フォーム。
【請求項７】  前記タンパク質化合物が、ネイティブコラーゲン、化学的に修飾されたネイティブコラーゲン、テロペプチドのないネイティブコラーゲン、又は１００kDa に近い分子量のα鎖から主になるそのヘリックス構造を少くとも部分的に失っている非加水分解化コラーゲン（加熱コラーゲン）からなり、又はそれを含むことを特徴とする請求項６に記載の接着性フォーム。
【請求項８】  前記化学的に修飾されたネイティブコラーゲンが、メチル化により、スクシニル化によりもしくは過ヨウ素酸もしくはその塩で酸化的開裂により修飾されたネイティブコラーゲンである、請求項７に記載の接着性フォーム。
【請求項９】  前記タンパク質化合物が、加熱コラーゲンからなり、又はそれを含むことを特徴とする請求項６に記載の接着性フォーム。
【請求項１０】  前記タンパク質化合物が、アミン又はスルフヒドリル官能基に関して、１０００を超える分子量の反応性ポリマーで架橋されることを特徴とする請求項１〜９のいずれか一に記載の接着性フォーム。
【請求項１１】  前記反応性ポリマーが前記タンパク質化合物と反応することができる高分子ポリアルデヒド類及び親水性ポリマー類から選択される、請求項１０に記載の接着性フォーム。
【請求項１２】  前記高分子ポリアルデヒドが、酸化ポリサッカライド又はムコポリサッカライドから、並びにその誘導体又は混合物から選択されることを特徴とする請求項１０又は１１に記載の接着性フォーム。
【請求項１３】  前記高分子ポリアルデヒドが、デンプン、デキストラン、アガロース、セルロース、キチン、キトサン、アルギン酸、グリコサミノグリカン類、ヒアルロン酸及びコンドロイチンスルフェート、並びにその誘導体又は混合物から選択されることを特徴とする請求項１２に記載の接着性フォーム。
【請求項１４】  前記高分子ポリアルデヒドが、デンプン、デキストラン及びヒアルロン酸から選択されることを特徴とする請求項１３に記載の接着性フォーム。
【請求項１５】  前記高分子ポリアルデヒドが酸化デンプンを含むことを特徴とする請求項１２〜１４のいずれか一項に記載の接着性フォーム。
【請求項１６】  前記親水性ポリマーが、ポリ（エチレン）グリコール（ＰＥＧ）、ポリ（オキシエチレン）、ポリ（メチレングリコール）、ポリ（トリメチレングリコール）、ポリ（ビニルピロリドン）、及びＰＥＧの誘導体から選択されることを特徴とする請求項１０又は１１に記載の接着性フォーム。
【請求項１７】  前記接着性マトリックスが、酸化デンプンで架橋された加熱化コラーゲンからなり又はそれを含むことを特徴とする請求項１〜１５のいずれか一に記載の接着性フォーム。
【請求項１８】  前記接着性マトリックスが、酸化デンプンで架橋されたアルブミンからなり、又はそれを含むことを特徴とする請求項１〜５及び１０〜１５のいずれか一に記載の接着性フォーム。
【請求項１９】  前記接着性マトリックスが、反応性ポリマーで架橋されたアルブミンからなり、又はそれを含むことを特徴とする請求項１〜５，１０〜１１及び１８のいずれか一に記載の接着性フォーム。
【請求項２０】  前記接着性マトリックスが、フィブリン接着剤からなり、又はそれを含むことを特徴とする請求項１〜５のいずれか一に記載の接着性フォーム。
【請求項２１】  前記ガスが、空気、窒素、酸素及び二酸化炭素又はこれらのガスの１又は複数の混合物から選択されることを特徴とする請求項１〜２０のいずれか一に記載の接着性フォーム。
【請求項２２】  前記ガスが、空気、二酸化炭素及び窒素から選択されることを特徴とする請求項２１に記載の接着性フォーム。
【請求項２３】  前記ガスが、空気から選択されることを特徴とする請求項２２に記載の接着性フォーム。
【請求項２４】  前記ガスの容量が前記フォームの全容量の２５〜９０％であることを特徴とする請求項１〜２３のいずれか一に記載の接着性フォーム。
【請求項２５】  前記ガスの容量が前記フォームの全容量の４０〜７５％であることを特徴とする請求項２４に記載の接着性フォーム。
【請求項２６】  前記フォームが１又は複数の生物学的に活性な物質を含むことを特徴とする請求項１〜２５のいずれか一に記載の接着性フォーム。
【請求項２７】  コラーゲンフィルムにかたく結合していることを特徴とする請求項１〜２６のいずれか一に記載の接着性フォーム。
【請求項２８】  外科的及び／又は治療的使用のための、生体再吸収性で非毒性である生体適合性流体接着性タンパク質フォームを生産するための方法であって、均一に、重合／架橋することができ潜在的に接着性であるタンパク質化合物を、重合／架橋剤と、即時に混合して、生体再吸収性で非毒性である流体生体適合性接着タンパク質マトリックス材料及び生体適合性で非毒性のガス、又は前記流体接着性タンパク質マトリックス材料ともしくは水性媒体中に可溶化したこのような材料の基本的構成成分とガスの混合物を形成することを含むことを特徴とする方法。
【請求項２９】  組織創傷を保護／瘢痕形成するため及び生体組織を互いに又は移植した生体材料に結合させるための、請求項２８に記載の方法。
【請求項３０】  固体形態、繊維又は乾燥粉末の形態の前記タンパク質化合物を、加熱手段により緩衝水溶液と即時に混合すること、及び重合／架橋剤を前記混合物に供することを特徴とする請求項２８又は２９に記載の方法。
【請求項３１】  前記タンパク質化合物が請求項４〜９のいずれか一に記載の化合物であることを特徴とする請求項２８〜３０のいずれかに記載の方法。
【請求項３２】  前記タンパク質化合物が１〜５重量％の濃度の水溶液の形態のネイティブコラーゲンからなり又はそれを含むことを特徴とする請求項２８又は２９に記載の方法。
【請求項３３】  前記タンパク質化合物が２．５〜４重量％の濃度の水溶液の形態のネイティブコラーゲンからなり又はそれを含むことを特徴とする請求項３２に記載の方法。
【請求項３４】  前記タンパク質化合物が、４〜２０重量％の濃度の水性媒体に溶解された加熱コラーゲンからなり又はそれを含むことを特徴とする請求項２８又は２９に記載の方法。
【請求項３５】  前記タンパク質化合物が、５〜１８重量％の濃度の水性媒体に溶解された加熱コラーゲンからなり又はそれを含むことを特徴とする請求項３４に記載の方法。
【請求項３６】  前記タンパク質化合物が、２０〜５０％の濃度の水性媒体に可溶化されたアルブミンからなり又はそれを含むことを特徴とする請求項２８〜３１のいずれかに記載の方法。
【請求項３７】  前記タンパク質化合物が、４０〜５０％の濃度の水性媒体に可溶化されたアルブミンからなり又はそれを含むことを特徴とする請求項３６に記載の方法。
【請求項３８】  前記重合／架橋剤が請求項１０〜１６のいずれか一に記載の反応性ポリマーであることを特徴とする請求項２８〜３７のいずれか一に記載の方法。
【請求項３９】  前記重合／架橋剤が、０．５〜１０重量％の濃度の水性媒体に可溶化した高分子ポリアルデヒドであることを特徴とする請求項３８に記載の方法。
【請求項４０】  前記重合／架橋剤が、１〜３重量％の濃度の水性媒体に可溶化した高分子ポリアルデヒドであることを特徴とする請求項３９に記載の方法。
【請求項４１】  前記タンパク質化合物が、ネイティブ又は加熱コラーゲンからなり又はそれを含み、そして前記重合／架橋剤が酸化デンプンであることを特徴とする請求項２８〜３５及び３８〜４０のいずれか一に記載の方法。
【請求項４２】  加熱コラーゲンに対する高分子ポリアルデヒドの割合が、１／１０〜１／１６０であり、ここで混合温度が３５℃〜４１℃であることを特徴とする請求項２８〜３１，３４〜３５及び３９〜４０，４１のいずれか一に記載の方法。
【請求項４３】  前記加熱コラーゲンに対する高分子ポリアルデヒドの割合が、１／１５〜１／５０である、請求項４２に記載の方法。
【請求項４４】  ネイティブコラーゲンに対する高分子ポリアルデヒドの割合が１／１０〜１／５０であり、混合温度が１８℃〜３７℃であることを特徴とする請求項２８〜３３及び３８〜４１のいずれか一に記載の方法。
【請求項４５】  前記ネイティブコラーゲンに対する高分子ポリアルデヒドの割合が１／１０〜１／３０である、請求項４４に記載の方法。
【請求項４６】  前記タンパク質化合物が、あらかじめ、化学的又は酸化的開裂により、過ヨウ素酸又はその塩での処理により改変されていること、及び重合剤がほぼ中性のpHで前記タンパク質化合物の重合／架橋を許容するようにわずかにアルカリ性pHの緩衝液からなることを特徴とする請求項２８〜３１のいずれか一に記載の方法。
【請求項４７】  水溶液中でフィブリノーゲンをトロンビンと混合することを含むことを特徴とする請求項２８〜３１のいずれか一に記載の方法。
【請求項４８】  前記ガスが、空気、窒素、酸素及び二酸化炭素又はそれらガスの１又は複数の混合物から選択されることを特徴とする請求項２８〜４７のいずれか一に記載の方法。
【請求項４９】  前記ガスが、空気、二酸化炭素及び窒素から選択されることを特徴とする請求項４８に記載の方法。
【請求項５０】  前記ガスが、空気から選択されることを特徴とする請求項４９に記載の方法。
【請求項５１】  前記ガスを、前記接着性タンパク質マトリックスのための１又は複数の構成物と組み合わせることを特徴とする請求項２８〜５０のいずれか一に記載の方法。
【請求項５２】  前記ガスを、生体適合性で非毒性のビヒクルから形成されたものと組合わせることを特徴とする請求項２８〜５１のいずれか一に記載の方法。
【請求項５３】  前記ガスを、請求項３１に記載のタンパク質化合物から形成されたものと組合わせることを特徴とする請求項５２に記載の方法。
【請求項５４】  前記ガスを、粉末又は凍結乾燥形態の重合／架橋剤及び／又はビヒクルにより供することを特徴とする請求項２８〜５１のいずれか一に記載の方法。
【請求項５５】  前記ガスを、粉末又は凍結乾燥形態の前記タンパク質化合物により供することを特徴とする請求項２８〜５１のいずれか一に記載の方法。
【請求項５６】  導入されるガスの容量が前記接着性フォームの全容量の２５〜９０％であることを特徴とする請求項２８〜５５のいずれか一に記載の方法。
【請求項５７】  導入されるガスの容量が前記接着性フォームの全容量の４０〜７５％であることを特徴とする請求項５６に記載の方法。
【請求項５８】  １又は複数の生物学的に活性な物質を前記接着性タンパク質マトリックス材料に導入することを含むことを特徴とする請求項２８〜５７のいずれか一に記載の方法。
【請求項５９】  １又は複数の前記生物学的に活性な物質を、任意にガス又はガスの混合物のためのビヒクルである生体適合性で非毒性のビヒクルと組み合わせることを特徴とする請求項５８に記載の方法。
【請求項６０】  前記接着性流体タンパク質フォームが、前記混合物を、２つのシリンジの間の後方及び前方に移すことにより生産されることを特徴とする請求項２８〜５９のいずれか一に記載の方法。
【請求項６１】  前記ガスを、前記接着性マトリックス材料（形成過程におけるマトリックス）に導入することを特徴とする請求項２８〜６０のいずれか一に記載の方法。
【請求項６２】  前記ガスを、前記接着性マトリックスの形成のために構成物を混合する時に導入することを特徴とする請求項２８〜６０のいずれか一に記載の方法。
【請求項６３】  前記ガスを、１８℃〜４１℃の温度を供するように前記接着性マトリックス材料と混合することを特徴とする請求項２８〜６２のいずれか一に記載の方法。
【請求項６４】  外科的及び／又は治療的使用のための、生体再吸収性で非毒性である生体適合性流体接着性タンパク質フォームを調製するためのキットであって、水性溶媒中に可溶化された、重合／架橋することができる潜在的に接着性のタンパク質化合物と、生体再吸収性で非毒性である、生体適合性流体接着性タンパク質マトリックスを形成するための、重合／架橋剤と、生体適合性で非毒性のガス又はガスの混合物と、構成成分、接着性マトリックスを形成するための水溶液中のタンパク質化合物及び重合／架橋剤、及び前記ガス又はガスの混合物を即時的に混合するための手段と、を含むことを特徴とするキット。
【請求項６５】  組織創傷を保護／瘢痕形成するため及び生体組織を互いに又は移植した生体材料に結合させるための、請求項６４に記載のキット。
【請求項６６】  粉状の脱水されそして任意に滅菌された形態の潜在的に接着性のタンパク質化合物を含む第１の容器と、任意に滅菌緩衝された水溶液を含む第２の容器と、可溶化されたタンパク質化合物に重合／架橋剤を供給するための手段と、前記第１及び第２の容器の成分を混合するための手段と、前記混合物において気体を用いてフォームを作り出すための手段と、を含むことを特徴とする請求項６４又は６５に記載のキット。
【請求項６７】  前記タンパク質化合物、重合／架橋剤、及び前記ガスが請求項３１〜５９のいずれか一に記載のものであることを特徴とする請求項６４〜６６のいずれかに記載のキット。
【請求項６８】  シリンジの一方が水溶液中に前記タンパク質化合物を含み、そして他方が前記重合／架橋剤を含む、混合手段を備えた２つのシリンジの形態であることを特徴とする請求項６４又は６５に記載のキット。
【請求項６９】  前記ガスが、前記タンパク質化合物と、及び／又は前記重合／架橋剤と組合わせられることを特徴とする請求項６４〜６８のいずれか一に記載のキット。
【請求項７０】  前記混合手段が、粉状タンパク質化合物を含むシリンジ内に含まれるガスを用いて、フォームの形成を確実にするように、一方のシリンジから他方のシリンジに複数回、通過させることを可能にすることを特徴とする請求項６６に記載のキット。
【請求項７１】  前記ガスが、生体適合性で非毒性のビヒクルと組合わされることを特徴とする請求項６４〜６９のいずれか一に記載のキット。
【請求項７２】  前記ガスが、請求項３１に記載のタンパク質化合物から形成されたものと組合わせることを特徴とする請求項７１に記載のキット。
【請求項７３】  ビヒクルと任意に組合わされたガスを含む第３のシリンジを含むことを特徴とする請求項６４〜６９のいずれか一に記載のキット。
【請求項７４】  前記ビヒクルが、１又は複数の生物学的に活性な物質も含むことを特徴とする請求項７３に記載のキット。
【請求項７５】  前記重合／架橋剤及び／又は前記ビヒクルが凍結乾燥された形態であることを特徴とする請求項６４〜７４のいずれか一に記載のキット。
【請求項７６】  血管もしくは組織創傷の出血を防ぎもしくは停止させ、生きている組織を含む生体組織を互いにもしくは移植した生体材料に結合させ、外科的もしくは慢性の創傷を瘢痕形成させ、縫合を保護しもしくは密閉し、術後癒着の形成を防ぎ、又は生物学的に活性な物質を、局所的適用のための薬剤及び充填組織の腔（骨、軟骨、皮膚障害等）と共に送り出すための、請求項１〜２７のいずれか一に記載の流体接着性タンパク質フォームの使用。